(57)【要約】【課題】傾斜天井を有する空間において、空間を有効活用した収納室を提供する。【解決手段】天井の少なくとも一部が屋根（２）の傾斜に沿う傾斜天井（１１）となっている収納室（１０）であって、床（１５）から傾斜天井（１１）までの高さが高い側に位置する第１壁（１２）と、床（１５）から傾斜天井（１１）までの高さが低い側に第１壁（１２）と対向して位置する第２壁（１３）とを備え、第１壁（１２）に沿って配置された第１収納空間（２１）と、第２壁（１３）に沿って配置された第２収納空間（２２）と、第１収納空間（２１）と第２収納空間（２２）との間に配置された動作空間（２３）とを備えることを特徴とする収納室（１０）。【選択図】図１
2020117942.tif 000002
【特許請求の範囲】
【請求項１】
天井の少なくとも一部が屋根の傾斜に沿う傾斜天井となっている収納室であって、
床から前記傾斜天井までの高さが高い側に位置する第１壁と、前記床から前記傾斜天井までの高さが低い側に前記第１壁と対向して位置する第２壁とを備え、
前記第１壁に沿って配置された第１収納空間と、
前記第２壁に沿って配置された第２収納空間と、
前記第１収納空間と前記第２収納空間との間に配置された動作空間とを備えることを特徴とする収納室。
【請求項２】
請求項１に記載の収納室であって、
前記第１収納空間は、壁面取付収納部材が、前記第２収納空間よりも高い位置に取り付けられていることを特徴とする収納室。
【請求項３】
請求項２に記載の収納室であって、
前記第１壁及び前記第２壁は、前記傾斜天井の傾斜方向に交差する天井幅方向に延びていることを特徴とする収納室。
【請求項４】
請求項１ないし３の何れか一つに記載の収納室であって、
前記動作空間は、前記第１収納空間の第１床面よりも低い第２床面を有することを特徴とする収納室。
【請求項５】
請求項１ないし４の何れか一つに記載の収納室を備える建物。
【請求項６】
請求項５に記載の建物であって、
前記収納室は２階以上に位置し、前記収納室の位置する階よりも１階下の下層空間の天井から前記動作空間の床面までの高さは、前記下層空間の天井から第１収納空間の床面までの高さよりも低いことを特徴とする建物。
【発明の詳細な説明】
【技術分野】
【０００１】
本発明は、住居の収納室及び建物に関する。
【背景技術】
【０００２】
建物には、北側斜線制限等、近隣環境に配慮した高さ制限がある。この高さ制限に従った上でより居住空間の広い建物を建築する上で、傾斜屋根が用いられる。また、切妻屋根を有する建物も普及している。屋内空間においても、このような傾斜屋根に合わせた傾斜天井とする場合も多い。
【０００３】
特許文献１には、切妻屋根の傾斜に合わせた傾斜天井を有する屋根裏の空間を収納室に利用した建物が記載されている。
【０００４】
特許文献１にも示すように、このような傾斜した屋根の場合、屋根の最上部（棟）等、床から十分な高さが確保できる部分の天井は水平な天井であるが、最上部から下方へ傾斜し、床から十分な高さが確保できない部分は屋根の傾斜に合わせた傾斜天井とされる。屋根の軒先に近づくほど、すなわち、外壁に近づくほど、天井の高さが低くなっていく。よって傾斜天井の斜面下方側の空間は天井高さが低く、活用されないままになる場合もあった。
【０００５】
一方で、収納空間を十分に確保するため、屋根裏空間等を有効に活用した収納空間を作りたいという要望が多い。また、天井が低くても空間内で作業のしやすい収納室が求められている。
【先行技術文献】
【特許文献】
【０００６】
【特許文献１】特開２０１０−２２２９１８号公報
【発明の概要】
【発明が解決しようとする課題】
【０００７】
そこで本発明は、上記従来の問題点に鑑みなされたものであり、傾斜天井を有する空間において、空間を有効活用した収納室及びこの収納室を備えた建物を提供することを目的とする。
【課題を解決するための手段】
【０００８】
上記課題を解決するために、本発明の収納室は、天井の少なくとも一部が屋根の傾斜に沿う傾斜天井となっている収納室であって、床から傾斜天井までの高さが高い側に位置する第１壁と、床から傾斜天井までの高さが低い側に第１壁と対向して位置する第２壁と、第１壁に沿って配置された第１収納空間と、第２壁に沿って配置された第２収納空間と、前記第１収納空間と前記第２収納空間との間に配置された動作空間とを備えることを特徴とする。
【０００９】
また、本発明の一態様では、第１収納空間は、壁面取付収納部材が、第２収納空間よりも高い位置に取り付けられていることを特徴とする。
【００１０】
また、本発明の一態様では、第１壁及び第２壁は、傾斜天井の傾斜方向に交差する天井幅方向に延びていることを特徴とする。
また、本発明の一態様では、動作空間は、第１収納空間の第１床面よりも低い第２床面を有する。
【００１１】
また、本発明の建物は、このような収納室を備える建物である。
【００１２】
また、本発明の一態様では、前記収納室は２階以上に位置し、前記収納室の位置する階よりも１階下の下層空間の天井から前記動作空間の床面までの高さは、前記下層空間の天井から第１収納空間の床面までの高さよりも低いことを特徴とする。
【発明の効果】
【００１３】
本発明では、傾斜天井のある空間を有効活用し、十分な収納スペースを有し使いやすい収納室及び、このような収納室を備えた建物を提供することができる。
【図面の簡単な説明】
【００１４】
【図１】第１実施形態の収納室１０を含む建物１を鉛直方向に切断した模式的部分断面図である。
【図２】第１実施形態の建物１の屋根２部分を示す模式的部分斜視図である。
【図３】第１実施形態の収納室１０の模式的透視斜視図である。
【図４】第１実施形態の収納室１０の一部を示す模式的透視図である。
【図５】第１実施形態の収納室１０との比較のため、第２壁１３側に収納空間を寄せた比較例を示す模式的部分断面図である。
【図６】第２実施形態の収納室１０を含む建物１の間取り図であり、同図（ａ）は、１階部分を示し、同図（ｂ）は、２階部分を示す図である。
【図７】第２実施形態の収納室１０を含む建物１を鉛直方向に切断した模式的部分断面図である。
【図８】第２実施形態の収納室１０の第２床１６の別の例を示す模式的部分断面図である。
【発明を実施するための形態】
【００１５】
（第１実施形態）
以下、本発明の実施の形態について、図面を参照して詳細に説明する。各図面に示される同一または同等の構成要素、部材、処理には、同一の符号を付すものとし、適宜重複した説明は省略する。
【００１６】
図１は、本実施形態の収納室１０を含む建物１を鉛直方向に切断した模式的部分断面図である。図２は、本実施形態の建物１の屋根２部分を示す模式的部分斜視図である。図３は、本実施形態の収納室１０の模式的斜視図である。図４は、本実施形態の収納室１０の一部を示す模式的透視図である。本実施形態の建物１は、屋根２と外壁３とによって外形が形成されており、内部に収納室１０を備えるものである。
【００１７】
本実施形態における屋根２は、切妻屋根である。屋根２の棟２ａから二方向に傾斜した屋根２が形成されている。本実施形態では、屋根２を切妻屋根にしたが、本発明はこれに限らず、他の形式の屋根であっても良いし、北側斜線に合わせて部分的に傾斜させた屋根であってもよい。
【００１８】
外壁３は、建物１の側面を形成し、屋根２の下方に立設される。具体的には、外壁３は、屋根２の傾斜する方向の端部にそれぞれ設けられた一対の第１側壁３ａと、棟２ａの延びる方向に対向する一対の第２側壁３ｂとを備える。さらに、第２側壁３ｂにおける切妻屋根２によって三角形となる部分は、妻壁３ｃとなっている。この妻壁３ｃと屋根２とで取り囲まれた内部空間は、一般的に屋根裏と呼ばれる部分である。本実施形態の収納室１０は屋根裏空間に設けられている。
【００１９】
図１に示すように、天井４は、水平に位置している。しかしながら、本実施形態における収納室１０は、屋根２の傾斜部分下の空間を有効に活用するためのものであり、次のような構成となっている。収納室１０は、屋根２の傾斜に沿って傾斜した傾斜天井１１と、床１５からこの傾斜天井１１までの高さが高い側に位置する第１壁１２と、床１５から傾斜天井１１までの高さが低い側に位置し、第１壁１２と対向する第２壁１３と、第１壁１２と第２壁１３をつなぐ一対の第３壁１４と、床１５（以下、「第１床」ともいう）とを備えている。そしてこれらによって取り囲まれた空間が、収納室１０の内部空間となる。
【００２０】
傾斜天井１１は屋根２の傾斜角度とほぼ同じ角度で傾斜する天井である。通常、天井４は床１５から約２．２〜３ｍの高さに位置し、大人が立っても、頭の先からさらに上方に位置し、大人が屋内を移動する上で支障のない高さとなっている。したがって、本来であれば、床１５から天井４までの高さが十分に確保できない屋根２の軒先２ｂに近くなる部分は、部屋空間として使用されない。しかしながら、本発明では、このような天井４までの高さが低い箇所においても、収納室１０として有効活用する。
【００２１】
傾斜天井１１は、屋根２の棟２ａの長さＬよりも短い長さを天井幅Ｌ１として屋根２の傾斜に合わせて傾斜している。したがって、本実施形態の収納室１０の奥行き、すなわち、一対の第３壁１４間の距離は傾斜天井１１の天井幅Ｌ１とほぼ等しくなる。
【００２２】
第１壁１２は、床１５から傾斜天井１１までの高さが高い側、言い換えると傾斜天井１１の傾斜の上方側に位置する上方辺１１ａから床１５まで垂下している。第２壁１３は、床１５から傾斜天井１１までの高さが低い側、言い換えると傾斜天井１１の傾斜の下方側に位置する下方辺１１ｂから床１５まで垂下している。
【００２３】
一対の第３壁１４は、傾斜天井１１の上方辺１１ａと下方辺１１ｂとをつなぐ天井幅方向両端の傾斜辺１１ｃから垂下している。床１５は、収納室１０の内部空間の底面を確定し、水平方向に延在する。このように、収納室１０は、傾斜天井１１、第１壁１２、第２壁１３、第３壁１４、床１５によって形成される。収納室１０の内部空間は、大きく、第１収納空間２１、第２収納空間２２、動作空間２３の３つの空間となっている。
【００２４】
図３、図４に示すように、第１壁１２、第２壁１３にはそれぞれ、棚３１やバー３２といった壁面取付収納部材が設けられている。この棚３１に収納物を載置することや、バー３２に衣服をハンガー等で吊るすことで収納する。
【００２５】
図３に示すように、第１収納空間２１は、第１壁１２に沿って形成された収納スペースである。具体的には、壁面取付収納部材である棚３１及びバー３２が第１壁１２に沿って形成されている。バー３２は、大人用衣服等、丈の長い衣服をハンガーで吊るす構造となっている。
【００２６】
図４に示すように、バー３２は棚３１の下方に位置している。本実施形態では、バー３２は、第１壁１２、第２壁１３から突出するように取り付けられているが、これに限らず棚３１から垂下させる形など、ハンガーを吊るす構造であればよい。なお、図３は第１壁１２、第２壁１３の関係を見やすくするために、一部の棚３１やバー３２の記載を省略している。
【００２７】
図１に示すように、第１収納空間２１の床１５から傾斜天井１１までの高さＨ１は、大人が立って作業するのに十分な高さである。したがって、バー３２で、大人用のワンピース等、丈の長い衣服を吊るすことができる。本実施形態では、高さＨ１は、約２．２ｍ〜２．５ｍ程度である。一方、第２収納空間２２は、第２壁１３に沿って形成された収納スペースである。第１収納空間２１と同様に、棚３１及びバー３２が第２壁１３に沿って形成されている。
【００２８】
図１に示すように、第２収納空間２２は、傾斜天井１１の下方側に位置するため、第１収納空間２１に比べて床１５から傾斜天井１１までの高さＨ２が低くなっている。具体的には、第２収納空間２２の床１５から傾斜天井１１までの高さＨ２は、丈の短い衣服、例えば、大人用のジャケットや子供服等を吊り下げるには十分な高さではあるが、大人用のワンピース等、丈の長い衣服を吊り下げるには足りない高さである。したがって、第２収納空間２２のバー３２には、主に丈の短い衣服や子供用衣服を吊り下げることとなる。本実施形態では、高さＨ２は、約１ｍ〜１．６ｍ程度である。
【００２９】
動作空間２３は、第１収納空間２１と第２収納空間２２との間に位置する空間である。動作空間２３は、作業者が作業する上で支障とならない広さを確保している。具体的には、第１収納空間２１に対峙して作業を行った後、第２収納空間２２に対峙して作業が行えるよう、大人一人が方向転換をすることができ、歩行することができる幅Ｎを備えている。床１５から傾斜天井１１までの高さは、傾斜天井１１が傾斜しているため、第２収納空間２２に近づくほど低くなっている。
【００３０】
動作空間２３の第１収納空間２１に近い側の高さＨ３は、大人が立って作業をする上で十分な高さがある。したがって、収納室１０内の奥行方向（図３中、矢印Ａ方向）においては、作業者は背を屈めることなく移動することができる。本実施形態では、高さＨ３は、約２ｍ程度である。
【００３１】
一方、動作空間２３の第２収納空間２２に近い側の高さＨ４は、大人が屈んで作業する程度の高さである。例えば、作業者が、第２収納空間２２に対峙して作業を行う場合は、直立では傾斜天井１１に頭がつかえるため、自然と多少前屈みになって作業を行うこととなる。ここで、第２収納空間２２の棚３１やバー３２は、元々低い位置にあるので、作業者が第２収納空間２２の棚３１に物を置いたり、バー３２にハンガーを掛けたりするときは、自然と前屈みになる。したがって、高さＨ４は、作業者が直立するには低くても、作業中にあまり不自由を感じることはない。本実施形態では、高さＨ４は、約１．６ｍ〜１．８ｍ程度である。
【００３２】
このように、床１５から傾斜天井１１までの高さが高い方の壁面（第１壁１２）に第１収納空間２１を配置し、床１５から傾斜天井１１までの高さが低い方の壁面（第２壁１３）に第２収納空間２２を配置し、中央に動作空間２３を配置することにより、傾斜天井１１が低くなる方に対しては、作業者が自然と体を屈める動作を取る。一方で、第１収納空間２１側に対しては、床１５から傾斜天井１１までは十分な高さＨ３があるため、作業者は体を屈めることなく、動作空間２３内を移動することができる。また、作業者は直立した状態で、丈の長い衣服を第１収納空間２１に吊るすことができる。
【００３３】
図１に示すように、本実施形態の第１壁１２から動作空間２３までの距離ｎ１（すなわち、第１収納空間２１の奥行き）、第２壁１３から動作空間２３までの距離ｎ２（すなわち、第２収納空間２２の奥行き）それぞれは短いため、作業者は、収納空間２１、２２の奥まで無理のない体勢で手を差し込むことができる。
【００３４】
図５は、第１実施形態の収納室１０との比較のため、第２壁１３側に収納空間を寄せた比較例を示す模式的部分断面図である。図５に示すように、仮に、本実施形態と第１収納空間２１と第２収納空間２２の床面積と同程度の床面積の収納空間を、傾斜天井１１の低い方にだけ形成したとする。すると、第２壁１３から動作空間２３までの距離は、ｎ１＋ｎ２となり、長いものとなってしまう。したがって、奥にしまったものを取り出す時等、作業者が体をかがめて、収納空間の内部まで入り込まねばならず、無理な体勢で作業を行うことになり、効率的でない。また、収納空間の奥まで作業者の手が届きにくい。加えて、収納空間の最も傾斜天井１１が高い位置でも高さはＨ３となり、第１収納空間２１に比べて、十分な収納高さを確保することができない。
【００３５】
このように、本実施形態の収納室１０は、床１５から傾斜天井１１までの高さが高い第１壁１２に沿って第１収納空間２１を配置し、床１５から傾斜天井１１までの高さが低い第２壁１３に沿って第２収納空間を配置し、第１収納空間２１と第２収納空間２２との間に動作空間２３を配置することにより、作業者がそれぞれの収納空間２１、２２に対して作業しやすい。また、限られた収納室１０空間内において、効率的に収納空間を確保することができる。
【００３６】
（第２実施形態）
図６は、本実施形態の収納室１０を含む建物１の間取り図であり、同図（ａ）は、１階部分を示し、同図（ｂ）は、２階部分を示す図である。図７は、本実施形態の収納室１０部分を鉛直方向に切断した模式的部分断面図である。
【００３７】
第１実施形態では、切妻屋根の屋根裏に収納室１０を設けたものを説明したが、本実施形態では、建物１の２階部分に収納室１０を設けたものを説明する。  図６（ｂ）において、収納室１０は北側斜線に合わせて傾斜した屋根部分に位置している。北側斜線に合わせて屋根を傾斜させ、この傾斜に合わせて傾斜天井１１を設けている。屋根の軒先に近い部分、すなわち、図６（ｂ）の軒先下の外壁３に近い部分については、建物１の２階の床１５から傾斜天井１１までの高さが低くなる。
【００３８】
図６に示すように、本実施形態では、収納室１０の床全てを２階の床１５（以下「第１床」ともいう）と同じ位置（同じ床面）にしていると、上述したように、軒先に近い部分は傾斜天井１１までの高さが低くなり、作業者が作業しにくい。
【００３９】
図７に示すように、本実施形態では、収納室１０の動作空間２３に相当する部分の床面は、２階の床１５面よりも低くして、傾斜天井１１までの高さを確保し、作業者がより作業しやすい空間を形成する。具体的には、収納室１０の動作空間２３の床１６（以下、「第２床」ともいう）の床面は、２階の他部分の床１５（以下、「第１床」ともいう）の床面（例えば、第１収納空間２１の床１５の床面）よりも高さＨ５だけ下がっている。本実施形態では、高さＨ５は、１０〜１５ｃｍほどである。第２床１６から第１床１５までの高さＨ５は、傾斜天井１１の傾斜角度や、傾斜天井１１までの高さに応じて、適宜調整される。
【００４０】
このように、動作空間２３の第２床１６の床面を第１床１５よりも下げることにより、第２床１６から傾斜天井１１までの高さ、すなわち動作空間２３の高さを十分に確保できる。図７に示すように、第２床１６を下げたことにより、動作空間２３における第２収納空間２２側の高さをＨ３程度確保することができる。図１の第２収納空間２２前の動作空間２３の高さＨ４は、上述したように大人が屈まなければならない高さであるのに対し、第２床１６が下がっているため、同じ第２収納空間前の天井までの高さは、Ｈ４＋Ｈ５となる。図５に示すように、この高さは、Ｈ３程度となり、作業者は直立できる。そうすると、第２収納空間２２前においても、作業者は前屈みになる必要がなく、より作業しやすくなる。
【００４１】
本実施形態において、第２床１６は、２階の他の部分（第１床１５）からくぼんで形成されている。図７に示すように、収納室１０のある２階よりも下層階（本実施形態では１階とする）の天井１７と、２階の第１床１５との間には、高さｍ１の空間がある。この空間には、電気配線等の配線類や、断熱材等が配されている。高さｍ１は、先の第２床１６と第１床１５との高さ差Ｈ５よりも大きい。したがって、本実施形態では、この下層階（１階）の天井１７と収納室１０の第１床１５との間の空間を活用し、動作空間２３の第２床１６を他の部分よりも下げている。すなわち、下層階（１階）の天井１７から、第２床１６までの高さｍ２は他の部分の第１床１５までの高さｍ１よりも低い。なお、高さｍ２は、電気配線を這わせるには支障のない高さである。
【００４２】
このように、２階の第１床１５下の空間を活用し、第２床１６を下げ、傾斜天井１１までの高さを確保することにより、作業者は屈むことなく、作業を行うことができ、より作業効率が向上する。
【００４３】
なお、本実施形態では、動作空間２３の第２床１６面は全て他の部分よりも高さＨ５だけ下げているが、本発明はこれに限らない。例えば、第２床１６から第１収納空間２１の上までの高さＨ１＋Ｈ５が、作業者の身長よりもかなり高くなる場合は、第１収納空間２１の上の棚の物が取りにくい状態となる。
【００４４】
図６は、動作空間２３の第２床１６の別の例を示す模式的部分断面図である。図６に示すように、動作空間２３における第２収納空間２２寄りの部分だけ第２床１６とし、第１収納空間２１寄りの部分は第１床１５とする形であってもよい。動作空間２３における第１床１５の幅ｎ３は、作業者が歩く上で十分な空間を確保できる程度の長さである。このように、動作空間２３の第１収納空間２１側の部分を第１床１５とすることにより、高いところの物を取り出すときも支障なく取り出すことができる。
【００４５】
また、本実施形態は、第２収納空間２２は第１床１５の高さとしたが、第２床１６の高さにし、収納空間を増やすようにしてもよい。
【００４６】
このように、本発明の収納室１０は、屋根裏や北側斜線に合わせて傾斜した屋根下の部分等、傾斜天井１１によって十分な天井高を確保できない空間においても、収納空間、動作空間の配置を傾斜天井の傾斜に合わせて設置する。これにより、作業者が無理な作業姿勢をする必要のない収納スペースを十分に確保することができる。また、天井高が高い側に丈の長い衣服、例えば大人用衣服を吊るす第１収納空間２１を配し、天井高が低い側に丈の短い衣服、例えば子供用衣服を吊るす第２収納空間２２を配し、両者の間に動作空間２３を配することにより、デッドスペースが少ない収納空間を確保することができる。また、このように、丈の長い衣服と丈の短い衣服を分けて吊るせる空間を確保することにより、各収納空間におけるデッドスペースも生まれにくい。
【００４７】
このように、傾斜天井１１下に十分な収納室１０を確保することにより、家族全員の衣服（例えば、季節毎の衣服）を複数個所に分けて収納するのではなく、一個所で収納することができるため、収納作業や管理作業の効率が向上する。また、ファミリークローゼットとして一元管理できるため、各人の衣服量を簡単に把握することができる。
【００４８】
本実施形態では、収納室１０で衣服を収納するものとしたが、本発明はこれに限らず、生活用品全般を収納するスペースとして活用してもよいのは言うまでもない。
【００４９】
また、動作空間２３の第２床１６を他の部分の第１床１５よりも低くすることにより、傾斜天井１１の天井高が低くても、作業者が作業しやすい空間とすることができる。
【００５０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００５１】
１…建物
２…屋根
２ａ…棟
２ｂ…軒先
３…外壁
３ａ…第１側壁
３ｂ…第２側壁
３ｃ…妻壁
４…天井
１０…収納室
１１…傾斜天井
１１ａ…上方辺
１１ｂ…下方辺
１１ｃ…傾斜辺
１２…第１壁
１３…第２壁
１４…第３壁
１５…第１床
１６…第２床
１７…下層階の天井
２１…第１収納空間
２２…第２収納空間
２３…動作空間
【図１】
2020117942.tif 000003
【図２】
2020117942.tif 000004
【図３】
2020117942.tif 000005
【図４】
2020117942.tif 000006
【図５】
2020117942.tif 000007
【図６】
2020117942.tif 000008
【図７】
2020117942.tif 000009
【図８】
2020117942.tif 000010